(57)【特許請求の範囲】
【請求項１】
表示部と、それぞれ異なる文字が割り当てられた複数のキーと、前記複数のキーの中の第１キーが操作されると、当該第１キーに割り当てられた文字に係る候補と、前記第１キーに隣接する複数の隣接キーの中の一部のキーに割り当てられた文字に係る候補とを前記表示部に表示する制御部と、を有する表示機器であって、
前記制御部は、前記第１キーに対する操作の位置に基づいて、前記複数の隣接キーの中から前記一部のキーを特定する
表示機器。
【請求項２】
表示部と、それぞれ異なる文字が割り当てられた複数のキーと、を有する表示機器における表示方法であって、
前記表示機器が、前記複数のキーの中の第１キーが操作されると、当該第１キーに対する操作の位置に基づいて、前記複数の隣接キーの中から一部のキーを特定し、前記第１キーに割り当てられた文字に係る候補と、前記一部のキーに割り当てられた文字に係る候補とを前記表示部に表示する
表示方法。
【発明の詳細な説明】
【技術分野】
【０００１】
本発明は、少なくとも文字に係る変換候補を表示する表示部を有する表示機器に関するものである。
【背景技術】
【０００２】
携帯電話機等の携帯端末において、平仮名を漢字に変換するときに、変換すべき漢字等の文字の変換候補を表示部に表示することは周知である。たとえば、キーの押し間違いを考慮し、押下すべきキーと異なるキーが押下されても、実際に押下されたキーの周辺のキーに割り当てられた文字の変換候補を表示部に表示する携帯端末が開示されている（特許文献１参照）。
【先行技術文献】
【特許文献】
【０００３】
【特許文献１】特開２００７−３０４９６６号公報
【発明の概要】
【発明が解決しようとする課題】
【０００４】
特許文献１によれば、操作された操作検出部の周辺の操作検出部に割り当てられた文字の変換候補を一律に表示部に表示するため、ユーザが意図した可能性の低い変換候補まで表示部に表示される。したがって、変換候補の数が増加し、意図する変換候補を効率よく得ることができないという欠点がある。
【０００５】
本発明は、効率よく変換候補を表示部に表示することができる表示機器を提供することにある。
【課題を解決するための手段】
【０００６】
本発明の表示機器は、表示部と、それぞれ異なる文字が割り当てられた複数のキーと、前記複数のキーの中の第１キーが操作されると、当該第１キーに割り当てられた文字に係る候補と、前記第１キーに隣接する複数の隣接キーの中の一部のキーに割り当てられた文字に係る候補とを前記表示部に表示する制御部と、を有する表示機器であって、前記制御部は、前記第１キーに対する操作の位置に基づいて、前記複数の隣接キーの中から前記一部のキーを特定する。
【０００７】
本発明の表示方法は、表示部と、それぞれ異なる文字が割り当てられた複数のキーと、を有する表示機器における表示方法であって、前記表示機器が、前記複数のキーの中の第１キーが操作されると、当該第１キーに対する操作の位置に基づいて、前記複数の隣接キーの中から一部のキーを特定し、前記第１キーに割り当てられた文字に係る候補と、前記一部のキーに割り当てられた文字に係る候補とを前記表示部に表示する。
【発明の効果】
【００１４】
本発明によれば、効率よく変換候補を表示部に表示することができる。
【図面の簡単な説明】
【００１５】
【図１】本発明の実施形態に係る携帯端末の構成例を示す概略ブロック図である。
【図２】本発明の実施形態に係る携帯端末の外観例を示す斜視図である。
【図３】図２に図示するタッチパネルの詳細を示す模式図である。
【図４】本発明の実施形態に係るキーの文字の割り当ての一例を示す図である。
【図５】図２に図示するタッチパネルの構造および操作の検出方法を説明するための図３の破線Ｘａ−Ｘｂ間における断面模式図である。
【図６】図３に図示するタッチパネルの一部を示す模式図である。図６には、「５」キーの周辺部のみが図示されている。
【図７】本発明の実施形態に係るタッチパネルの表示例を示す図である。
【図８】本発明の実施形態に係る携帯端末における、あるキーに対する操作の状態に基づく他のキーの特定、およびそれらのキーの文字に係る変換候補の表示について説明するための図である。
【図９】本発明の実施形態に係る携帯端末の予測変換候補の処理について説明するための図である。
【図１０】本発明の実施形態に係る携帯端末における変換候補の絞り込み処理について説明するための図である。
【図１１】本発明の実施形態に係る携帯端末の動作例を示すフローチャートである。
【図１２】本発明の変形例に係るタッチパネルの一部を示す模式図である。
【図１３】本発明の変形例に係るタッチパネルの一部を示す模式図である。
【図１４】本発明の変形例に係る携帯端末の外観例を示す斜視図である。
【発明を実施するための最良の形態】
【００１６】
以下、本発明の実施形態を図面に関連付けて説明する。
【００１７】
図１は、本発明の実施形態に係る携帯端末の構成例を示す概略ブロック図である。
【００１８】
図１に図示する表示機器としての携帯端末１０は、アンテナ１１、通信部１２、制御部１３、記憶部１４、音声入出力部１５、スピーカ（ＳＰ）１５ａ、マイクロフォン（ＭＩＣ）１５ｂ、およびタッチパネル１６（操作検出部および表示部）を有する。
【００１９】
携帯端末１０は、本実施形態においては、携帯電話機である。携帯端末１０は、たとえばＰＨＳ（Personal Handy phone System）であってもよい。携帯端末１０は、音声通話、電子メールの作成とその送受信、ＷＥＢ（World Wide Web）サイトの閲覧等を行う機能を有する。これらの各種機能は、制御部１３の制御の下、アプリケーションプログラムによって実行される。
【００２０】
アンテナ１１は、本実施形態においては内蔵型アンテナである。アンテナ１１は、たとえばロッドアンテナであってもよい。アンテナ１１は、所定の周波数帯域における電磁波を基地局（不図示）に向けて送信、あるいは基地局から受信する。
【００２１】
通信部１２は、制御部１３が出力した送信信号を所定の変調方式に変調し、変調した送信信号を電波信号としてアンテナ１１を介して基地局に送信する。通信部１２は、アンテナ１１を介して基地局から受信した電波信号を変調方式に対応した復調を行い、復調した信号を受信信号として制御部１３に出力する。
【００２２】
制御部１３は、たとえばマイクロコンピュータ、ＤＳＰ等で構成されている。制御部１３は、ユーザによるタッチパネル１６により検出された、各種処理が適切な手順で実行されるように、携帯端末１０の全般の動作を制御する。
【００２３】
制御部１３が行う処理には、文字変換に関する処理、変換候補を表示するための処理が含まれる。この他、制御部１３が行う処理には、音声通話、電子メールやＷＥＢの閲覧を行うためのアプリケーションの処理等が含まれる。
【００２４】
制御部１３が行う制御には、たとえば、通信部１２の通信制御、記憶部１４とのアクセス、タッチパネル１６へのデータの表示、タッチパネル１６の操作による文字の入力、音声入出力部１５における音声処理の制御等が含まれる。
【００２５】
記憶部１４は、たとえば不揮発性の記憶デバイス（フラッシュメモリ）やランダムアクセス可能な記憶デバイス（ＳＲＡＭ、ＤＲＡＭ）等で構成されている。
【００２６】
記憶部１４には、文字変換および変換候補をタッチパネル１６に表示するための辞書、文字変換の履歴が登録された変換履歴、オペレーティングシステム、文字入力に関するアプリケーションプログラム等が格納されている。この他、記憶部１４には、制御部１３の出力結果、プログラムの処理過程で利用される一時的なデータ、電話番号等で構成されたアドレス帳等が格納されている。
【００２７】
音声入出力部１５は、制御部１３から供給されたデジタルの音声データをスピーカ１５ａを介して出力するため、デジタルの音声データに対して、デジタル・アナログ（Ｄ／Ａ）変換、増幅等の信号処理を施す。
【００２８】
音声入出力部１５は、マイクロフォン１５ｂから入力されたアナログの音声信号をデジタルの音声データに変換して制御部１３に出力するため、アナログの音声信号に対して、増幅、アナログ・デジタル（Ａ／Ｄ）変換、符号化等の処理を施す。
【００２９】
タッチパネル１６は、本実施形態においては、タッチパネル１６を指で押下させて文字を入力する抵抗膜方式のタッチパネルである。タッチパネル１６は、たとえば、静電容量方式、赤外線方式等、その他の方式であってもよい。
【００３０】
タッチパネル１６は、文字を入力するための入力装置としての機能、および文字や画像等を表示する表示装置としての機能を有する。タッチパネル１６は、制御部１３の制御に基づいて、入力装置および表示装置としての機能を実行する。
【００３１】
上述した図１に図示する各構成要素は、図２に図示する筐体に格納されている。
【００３２】
図２は、本発明の実施形態に係る携帯端末の外観例を示す斜視図である。
【００３３】
図２に図示するように、携帯端末１０は、本実施形態においては、ストレート型と称される携帯端末である。携帯端末１０の筐体１００の上面１００Ｆには、タッチパネル１６が指で押下可能に装着されている。携帯端末１０は、たとえば、２つの筐体をヒンジ部で折りたたむことができる折りたたみ型であってもよい。携帯端末１０が折りたたみ型の場合、２つの筐体の少なくともいずれか一方に、タッチパネル１６が搭載されている。
【００３４】
タッチパネル１６の上部には、スピーカ１５ａ用の孔部１０１が形成され、筐体１００内部の孔部１０１近傍には、スピーカ１５ａが配置されている。タッチパネル１６の下部には、マイクロフォン１５ｂ用の孔部１０２が形成され、筐体１００内部の孔部１０２近傍には、マイクロフォン１５ｂが配置されている。筐体１００の上面１００Ｆまたは筐体１００の側面には、不図示の電源ボタン等が配置されている。
【００３５】
ここで、携帯端末１０は、文字を漢字等の他の文字に変換する文字変換機能を有する。文字変換は、後述する文字変換モードに応じて実行される。
【００３６】
タッチパネル１６への操作は、指でタッチパネル１６上に表示されたキーを軽く押下することによって行われる。この押下は、タッチパネル１６が入力を検出可能であれば、接触（軽い押下等のタッチ）でもよい。指の代わりに、たとえばペン（タッチペン）を用いて文字を入力することもできる。タッチパネル１６は、このような押下や接触を検出することができるように構成されている。
【００３７】
このように、指で軽くタッチパネル１６を押下すればよいため、感覚的な操作が可能である。この反面、タッチパネル１６における操作の検出領域は、通常同一平面上に形成されるため、操作の検出領域を複数の領域（複数の操作検出部）に分割した場合であっても、各領域同士は必然的に同一平面上に配置される。
【００３８】
したがって、これら複数の領域にそれぞれ異なる文字を割り当て、これら複数の領域に対する操作に応じて文字を入力する場合には、その操作が同一平面上に配置された複数の領域に跨って検出され、文字の誤入力が生じる恐れがある。携帯端末１０は、このような文字の誤入力を考慮した上で文字の変換候補を提示することを特徴とする。
【００３９】
以下、タッチパネル１６およびタッチパネル１６を用いた文字変換機能について説明する。以下の説明において、文字とは、平仮名、カタカナ、英字（アルファベット）、漢字、数字、記号等をいう。平仮名、カタカナ、英字、数字には、１バイトの文字および２バイトの文字が含まれている。ただし、ユニコードでは、半角文字は、２バイトの文字である。文字変換には、平仮名から漢字への変換だけではなく、平仮名からカタカナへの変換、平仮名から英字への変換等、種々の変換が含まれる。
【００４０】
図３は、図２に図示するタッチパネルの詳細を示す模式図である。
【００４１】
図３に図示するように、タッチパネル１６は、操作領域ＡＲＥ１と表示領域ＡＲＥ２とによって構成されている。表示領域ＡＲＥ２のタッチパネル１６は、表示装置として機能し、本発明の表示部に対応する。
【００４２】
操作領域ＡＲＥ１は、通話キー、決定キー、方向キー、数字キー等、各種機能が割り当てられた複数の領域に分割されている。このように区分分けされた各領域には、それぞれ割り当てられた機能および文字の内容を示す情報が表示されている。操作領域ＡＲＥ１は、３（Ｘ軸方向）×８（Ｙ軸方向）の領域ＫＥＹに分割されている。たとえば、図３の破線で示すＸａ−Ｘｂ間の各領域ＫＥＹには、Ｘ軸方向に「４」キー、「５」キー、および「６」キーが割り当てられ、その割り当てられた文字の内容が表示されている。表示領域ＡＲＥ２は、操作領域ＡＲＥ１のキーの押下によって入力された文字、予測される文字の変換候補、文字変換後の文字、種々の画像等を表示する領域である。
【００４３】
図３には、タッチパネル１６に占める操作領域ＡＲＥ１の面積と表示領域ＡＲＥ２の面積とが互いに略同一となる場合が例示されている。タッチパネル１６は、その全体を操作領域ＡＲＥ１が占めることが可能であり、その全体を表示領域ＡＲＥ２が占めることも可能である。無論、タッチパネル１６に占める操作領域ＡＲＥ１の面積と表示領域ＡＲＥ２の面積との割合は、好適に設定することができる。
【００４４】
図４は、本発明の実施形態に係るキーの文字の割り当ての一例を示す図である。
【００４５】
「５」キーの文字の割り当てを例に挙げて説明する。「漢字ひらがなモード」では、「５」キーに、「な」、「に」、「ぬ」、「ね」、および「の」が割り当てられている。「カタカナモード」では、「５」キーに、「ナ」、「ニ」、「ヌ」、「ネ」、および「ノ」が割り当てられている。「英字モード」では、「５」キーに、「ｊ」、「ｋ」、「ｌ」、「Ｊ」、「Ｋ」、「Ｌ」、および「５」が割り当てられている。「数字モード」では、「５」キーに「５」が割り当てられている。これらのモードは、ユーザによって適宜選択される。
【００４６】
図５は、図２に図示するタッチパネルの構造および操作の検出方法を説明するための図３の破線Ｘａ−Ｘｂ間における断面模式図である。ただし、図５には、入力装置としての最も単純なタッチパネルの構造が図示され、カラーフィルタ、液晶等が適宜省略されて図示されている。
【００４７】
図５に図示するように、タッチパネル１６は、ガラス基板１６１とフィルム１６２とが対向配置されている。ガラス基板１６１のフィルム１６２と対向する面には、ＩＴＯ（Indium Tin Oxide）１６３が成膜されている。フィルム１６２のガラス基板１６１と対向する面にも、ＩＴＯ１６３が成膜されている。誤接触の防止等のために、ガラス基板１６１とフィルム１６２との間に、複数のスペーサ１６４が配置されている。
【００４８】
図５には、指でフィルム１６２の一部が押下操作された状態が図示されている。このとき、ガラス基板１６１側のＩＴＯ１６３とフィルム１６２側のＩＴＯ１６３とが押下点で接触している。タッチパネル１６は、次のようにして、押下点のＸ座標およびＹ座標を検出する。
【００４９】
押下点のＸ座標の検出時には、フィルム１６２側のＩＴＯ１６３のＸ軸方向に電圧が印加され、フィルム１６２側のＩＴＯ１６３とガラス基板１６１側のＩＴＯ１６３とが押下点で導通する。このとき、フィルム１６２側のＩＴＯ１６３には、Ｘ軸方向に電圧勾配が発生する。タッチパネル１６は、ガラス基板１６１側で検出した押下点の電圧から分圧を求めることにより、押下点のＸ座標を検出する。
【００５０】
押下点のＹ座標の検出時には、Ｘ座標の検出時と逆に、ガラス基板１６１側のＩＴＯ１６３のＹ軸方向に電圧が印加される。このとき、ガラス基板１６１側のＩＴＯ１６３のＹ軸方向に電圧勾配が発生する。タッチパネル１６は、フィルム１６２側で検出した押下点の電圧から分圧を求めることにより、押下点のＹ座標を検出する。
【００５１】
図６は、図３に図示するタッチパネルの一部を示す模式図である。図６には、「５」キーの周辺部のみが図示されている。
【００５２】
図６に図示するように、タッチパネル１６の各領域には、「１」キー〜「９」キーが表示されている。以下、「５」キーが表示されている領域ＫＥＹに着目し、「な」を入力する場合の制御部１３によって実行される変換候補の表示方法について説明する。
【００５３】
ユーザは、「な」を入力するため、「漢字ひらがなモード」を選択し、タッチパネル１６上の「５」キーが表示されている領域を押下したものとする。このとき、タッチパネル１６は、押下点ＰのＸ座標およびＹ座標を検出する。
【００５４】
タッチパネル１６は、検出した押下点Ｐの座標を制御部１３に出力する。
【００５５】
制御部１３は、検出された押下点Ｐの座標に基づいて「５」キーに割り当てられた「な」が入力されたものと判断する。そして制御部１３は、記憶部１４の辞書等を参照し、入力文字「な」および「な」から予測される変換候補をタッチパネル１６の表示領域ＡＲＥ２に表示する。このときの表示例を図７に例示する。
【００５６】
変換候補とは、たとえば、入力された文字（たとえば「な」）から予測される変換候補（たとえば「など」、「何」）のことをいう。
【００５７】
図７は、本発明の実施形態に係るタッチパネルの表示例を示す図である。
【００５８】
図７に図示するように、文字入力時には、タッチパネル１６の表示領域ＡＲＥ２が、上段Ｕおよび下段Ｄに区分されている。表示領域ＡＲＥ２の下段Ｄには、「など」、「何」、「なかなか」等の変換候補が表示されている。変換候補の表示順序は、記憶部１４に格納されている辞書、あるいは変換履歴等に従って好適に表示される。
【００５９】
表示領域ＡＲＥ２の上段Ｕには、入力文字「な」が表示されている。入力文字は、たとえば、「な」の入力後に決定キーを押下することで確定される。
【００６０】
ところで、押下点Ｐの位置は、この領域内の中心付近に存在するとは限らない。押下点Ｐは、図６に例示するように、押下された領域の右下付近に存在する場合がある。この場合、ユーザは「５」キーではなく、「５」キーに隣接した「８」キーまたは「６」キーを押下しようとした可能性がある。
【００６１】
そこで、制御部１３は、「５」キーの領域をさらに４分割し、押下点Ｐが存在する分割領域に応じて変換候補を表示領域ＡＲＥ２に表示する。
【００６２】
図８は、本発明の実施形態に係る携帯端末における、あるキーに対する操作の状態に基づく他のキーの特定、およびそれらのキーの文字に係る変換候補の表示について説明するための図である。
【００６３】
図８に図示するように、操作領域ＡＲＥ１において分割された各領域は均等に４分割されている。ここでは、４つの各分割領域をＫＥＹ１〜ＫＥＹ４と表すものとする。以下、図６に例示した押下点Ｐが、分割領域ＫＥＹ４に存在する場合について説明する。
【００６４】
制御部１３は、タッチパネル１６から出力された押下点Ｐの座標に基づき、分割領域ＫＥＹ１〜ＫＥＹ４から、押下点Ｐが存在する分割領域を検出する。制御部１３は、押下点Ｐが分割領域ＫＥＹ４に存在することを検出すると、その検出された位置の情報に基づいて、「５」キーが７０％の可能性で押下され、「８」キーが２０％の可能性で押下され、「６」キーが１０％の可能性で押下されたものと判断する。
【００６５】
このように、制御部１３は、押下点Ｐが存在する分割領域の情報（操作の状態）に基づき、「５」キー以外に押下された可能性のある他の領域に割り当てられた領域を特定する。この場合、制御部１３が特定した領域は、「６」キーおよび「８」キーの領域である。
【００６６】
制御部１３は、押下の可能性に応じて、変換候補を表示領域ＡＲＥ２に表示する。具体的には、制御部１３は、「５」キーの「な」、「８」キーの「や」、および「６」キーの「は」に係る変換候補をタッチパネル１６の表示領域ＡＲＥ２に表示する。
【００６７】
たとえば、制御部１３は、「な」から予測される「など」、「や」から予測される「やはり」、「は」から予測される「パソコン」等を押下の可能性に応じて、タッチパネル１６の表示領域ＡＲＥ２に表示する。このときの表示例を図９に例示する。
【００６８】
図９は、本発明の実施形態に係る携帯端末における操作の状態に基づく変換候補の表示制御について説明するための図である。
【００６９】
図９に図示するように、表示領域ＡＲＥ２の下段Ｄには、「な」、「など」、…、「や」、「やはり」、…、「は」、「パソコン」等の変換候補が表示されている。
【００７０】
変換候補は、押下された可能性が高い順に表示される。詳細には、変換候補は、押下された可能性が最も高い「５」キーの「な」、「な」から予測される語句、次に押下された可能性が高い「８」キーの「や」、「や」から予測される語句、最後に「６」キーの「は」、「は」から予測される語句の順に表示される。なお、語句とは、「など」のように、文字の集合である。
【００７１】
変換候補の表示数を押下された可能性に応じて異ならせても良い。「５」キーが押下された可能性は最も高く、「６」キーが押下された可能性は最も低い。そこで、素早く入力文字を確定するために、「６」キーの「は」から予測される表示すべき変換候補の数は、「５」キーの「な」から予測される語句の数より少ない方が望ましい。
【００７２】
押下点Ｐが２つの領域ＫＥＹの境界上に存在する場合について例を挙げて説明する。押下点Ｐが、たとえば、「５」キーの領域ＫＥＹと「６」キーの領域ＫＥＹとの境界上に存在する場合、制御部１３は、「５」キーが５０％の可能性で押下され、「６」キーが５０％の可能性で押下されたものと判断する。
【００７３】
押下点Ｐが他の分割領域に存在する場合についても、制御部１３は、上述した方法と同様に変換候補をタッチパネル１６の表示領域ＡＲＥ２に表示する。たとえば、押下点Ｐが分割領域ＫＥＹ１に存在する場合、制御部１３は、「５」キーが７０％の可能性で押下され、「２」キーが２０％の可能性で押下され、「４」キーが１０％の可能性で押下されたものと判断する。
【００７４】
分割領域ＫＥＹ１〜ＫＥＹ４に応じた押下の可能性は、好適に設定することができる。たとえば、押下点Ｐが分割領域ＫＥＹ４に存在する場合、制御部１３は、「５」キーが６０％の可能性で押下され、「８」キーが２０％の可能性で押下され、「６」キーが５％の可能性で押下され、「９」キーが５％の可能性で押下されたものと判断することができる。
【００７５】
このように、制御部１３は、この押下の可能性に応じて、他の文字が割り当てられた領域を特定し、押下された領域に割り当てられた文字に係る変換候補および特定された領域に割り当てられた他の文字に係る変換候補を表示領域ＡＲＥ２に表示する。
【００７６】
図１０は、本発明の実施形態に係る携帯端末における変換候補の絞り込み処理について説明するための図である。
【００７７】
変換候補が表示領域ＡＲＥ２に表示された後、複数表示された変換候補の中から素早く所望する文字または語句を確定するため、制御部１３は、絞り込み処理を行うことができる。
【００７８】
具体的には、図１０に図示するように、ユーザが表示領域ＡＲＥ２の下段Ｄに表示されている「な」をタッチすると、制御部１３は、表示領域ＡＲＥ２の上段Ｕに、「「な」に絞る？」という誘導メッセージを表示する。ユーザが、この誘導メッセージに従い、決定キーを押下すると、表示領域ＡＲＥ２の上段Ｕには、「な」および「な」に係る語句のみが表示され、その他の変換候補の表示が消去される（抑制される）。
【００７９】
このように、表示されている複数の変換候補の中から、ある１つのキーに割り当てられた文字に係る変換候補のみを残し、他の変換候補を消すことで、ユーザは所望する変換候補を効率よく得ることができる。
【００８０】
なお、ここでは絞り込みの手段として表示領域ＡＲＥ２の下段Ｄに誘導メッセージを表示したが、たとえば、表示領域ＡＲＥ１上の「電話帳」キーや「アプリ」キーの表示をこのような「「な」に絞る？」の表示に変更するようにしてもよい。
【００８１】
携帯端末１０の動作例について説明する。以下の説明では、ユーザが「５」キーを押下したものとする。
【００８２】
図１１は、本発明の実施形態に係る携帯端末の動作例を示すフローチャートである。
【００８３】
図１１に図示するように、文字の入力が開始されると（ステップＳＴ１）、ユーザは、タッチパネル１６の操作領域ＡＲＥ１を操作し、入力すべき文字が割り当てられたキーを押下する。
【００８４】
タッチパネル１６は、押下点ＰのＸ座標およびＹ座標を検出し、検出した押下点Ｐの座標を制御部１３に出力する（ステップＳＴ２）。
【００８５】
その後、制御部１３は、タッチパネル１６から出力された押下点Ｐの座標に基づいて、いずれの領域が押下されたかを検出する。そして、制御部１３は、押下点Ｐが存在する分割領域に基づき、押下された可能性のあるキーを特定する（ステップＳＴ３）。
【００８６】
この場合、制御部１３が特定した領域は、「６」キーおよび「８」キーの領域である。
【００８７】
制御部１３は、押下の可能性に応じて、押下されたキーおよび特定されたキーの文字に係る変換候補を表示領域ＡＲＥ２に表示する（ステップＳＴ４）。
【００８８】
押下されたキーおよび特定された他のキーに割り当てられた文字に係る変換候補が表示領域ＡＲＥ１に表示された後、制御部１３は、押下されたキーの文字および特定された他のキーの文字の中から、ある１つのキーの文字を選択する絞り込み処理が行われたかどうかを判断する（ステップＳＴ５）。
【００８９】
ステップＳＴ５において絞り込み処理が行われ、１つのキーが選択された場合には（Ｙｅｓ）、制御部１３はそのキーに割り当てられた文字に係る変換候補を表示領域ＡＲＥ２に表示すると共に他のキーに割り当てられた文字に係る変換候補を表示領域ＡＲＥ２から消去する。つまり、制御部１３は、表示領域ＡＲＥ２に表示された変換候補の表示制御を行う（ステップＳＴ６）。
【００９０】
一方、ステップＳＴ５において絞り込み処理が行われない場合（Ｎｏ）には、制御部１３は、かかる変換候補の表示制御を行うことなくステップＳＴ７に進む。
そして、ステップＳＴ７においては、表示された変換候補から一の変換候補が選択および決定されたか否かが判定され、一の変換候補の選択および決定が、タッチパネル１６に対する操作に応じて行われた場合には、その変換候補を確定し、処理を終了する（ステップＳＴ８）。
【００９１】
以上詳細に説明したように、携帯端末１０によれば、制御部１３が、押下されたキーに対する操作の状態に基づいて他のキーを特定する。このとき、制御部１３は、押下されたキーに割り当てられた文字の変換候補だけではなく、特定した他のキーに割り当てられた文字の変換候補もタッチパネル１６の表示領域ＡＲＥ２に表示し、押下されたキーに対する操作の状態に基づいて変換候補の表示を抑制する。
【００９２】
これにより、効率よく入力文字を所望する文字に変換することができる。特に、タッチパネル１６は、キーが同一平面上に配置されているため、他のキーと区別することが難しく、キーの押し間違いが発生しやすい。しかし、携帯端末１０によれば、タッチパネル１６を用いた場合であっても、操作性を損なうことなく、効率よく入力文字を所望する文字に変換することができる。
【００９３】
携帯端末１０は、絞り込み処理を行うため、ユーザの意図しない不要な変換候補を削減することができ、素早く所望する文字を確定することができる。
【００９４】
（変形例１）
変形例１は、図１１に図示するステップＳＴ３において、制御部１３が他のキーを特定する際に、押下されたキーの押下点と、押下されたキーに隣接した他のキーの中心点との距離から押下された可能性の高いキーを絞り込むものである。
【００９５】
図１２は、本発明の変形例に係るタッチパネルの一部を示す模式図である。図１２には、「５」キーの周辺部のみが図示されている。
【００９６】
以下、「５」キーが表示されている領域ＫＥＹに着目し、最も単純な例を挙げて説明する。
【００９７】
押下点は、図１２に図示する「５」キーの中央下部の押下点Ｐ１であったものとする。制御部１３は、押下点Ｐ１の座標と「５」キーに隣接した各キーの中心点の座標との距離を算出する。このとき、算出された押下点Ｐ１と他のキーの中心点との距離のうち、押下点Ｐ１と「８」キーの中心点Ｐ２との距離が最も短い。
【００９８】
そこで、制御部１３は、「５」キーおよび「８」に割り当てられた文字に係る変換候補をタッチパネル１６の表示領域ＡＲＥ２に表示する。
【００９９】
これにより、更に効率よく入力文字を所望する文字に変換することができる。
【０１００】
（変形例２）
変形例２は、図１１に図示するステップＳＴ３において、制御部１３が押下されたキーに隣接した他のキーを特定する際に、押下されたキーの押下範囲から、押下されたキーに隣接した他のキーを特定するものである。
【０１０１】
図１３は、本発明の変形例に係るタッチパネルの一部を示す模式図である。図１３には、「５」キーの周辺部のみが図示されている。
【０１０２】
以下、「５」キーが表示されている領域ＫＥＹに着目し、最も単純な例を挙げて説明する。
【０１０３】
図１３に図示するように、指による押下の場合、押下部分はある程度の面積をもつ。そこで、制御部１３は、押下点Ｐを検出すると共に、押下された押下範囲ＲＥＧを検出する。
【０１０４】
この場合、押下範囲ＲＥＧは、図８における分割領域ＫＥＹ２とＫＥＹ４に及んでいる。
制御部１３は、押下範囲ＲＥＧが及ぶ分割領域の情報（操作の状態）に基づいて他のキーを特定し、「５」キーが７０％、「６」キーおよび「８」キーがそれぞれ１５％の可能性で押下されたものと判断する。そして、制御部１３は、「５」キー、「６」キーおよび「８」キーに割り当てられた文字に係る変換候補をタッチパネル１６上の表示領域ＡＲＥ２に表示する。
【０１０５】
これにより、指による押下の場合でも、効率よく入力文字を所望する文字に変換することができる。
【０１０６】
（変形例３）
変形例３は、図１１に図示するステップＳＴ４において、制御部１３が変換候補をタッチパネル１６の表示領域ＡＲＥ２に表示する際に、押下の可能性に応じて表示する変換候補の文字の大きさを変化させる。
【０１０７】
制御部１３は、押下の可能性が最も高い変換候補の文字を、押下の可能性が最も低い変換候補の文字よりも大きく表示する。図９に図示する場合を例に挙げて説明すると、制御部１３は、「な」および「な」から予測される語句を「や」および「や」から予測される語句よりも大きく表示領域ＡＲＥ２に表示する。
【０１０８】
これにより、視覚的に効率よく入力文字を所望する文字に変換することができる。
【０１０９】
他の変形例として、制御部１３がキー操作の時間（操作の状態）に応じて変換候補をタッチパネル１６の表示領域ＡＲＥ２に表示することができる。
【０１１０】
図１１に図示するステップＳＴ４において、変換候補がタッチパネル１６の表示領域ＡＲＥ２に表示され、一定時間（たとえば３秒）経過したとき、制御部１３は、押下の可能性が最も高い変換候補のみを表示領域ＡＲＥ２に表示する。
【０１１１】
これにより、効率よく入力文字を所望する文字に変換することができる。
【０１１２】
他の変形例として、本発明に係る表示機器は、図１４に図示する携帯端末１０ａに適用することができる。図１４には、折りたたみ型の携帯端末１０ａが例示されている。携帯端末１０ａは、表示部１７と操作検出部としての複数のキー１８を有する。このような、タッチパネル上のキーでないキーを有する携帯端末であっても、効率よく入力文字を所望する文字に変換することができる。
【０１１３】
本発明に係る表示機器は、携帯電話機等の携帯端末だけではなく、ＰＤＡ（Personal Digital Assistant）、現金自動預け払い機等、タッチパネルを採用した種々の表示機器に適用することができる。
【０１１４】
なお、本実施形態においては、図１１におけるステップＳＴ１〜ステップＳＴ８において示した通り、タッチパネル１６に対して操作が行われた場合、その操作が行われた領域に割り当てられた文字に係る変換候補と操作の状態に基づいて特定された他の領域に割り当てられた文字に係る変換候補とを表示領域ＡＲＥ２に表示した上で、決定キーの操作により一の変換候補が確定される態様について開示したが、本発明はこれに限らず、決定キーの操作により一の変換候補が確定される前に、続けて他の操作が行われた場合には、当該他の操作についてもステップＳＴ１〜ステップＳＴ８における処理がそのまま適用可能である。
【０１１５】
つまりこの場合には、表示領域ＡＲＥ２に、当該他の操作が行われた領域に割り当てられた文字に係る変換候補と当該他の操作の状態に基づいて特定された他の領域に割り当てられた文字に係る変換候補とが表示されることとなる。
【０１１６】
このように、本発明は、タッチパネル１６により操作が検出される度に、ステップＳＴ１〜ステップＳＴ８までの処理を適用することができる。こうすることにより、文字が入力される度に押し間違いを考慮した変換候補を表示領域ＡＲＥ２に表示することができ、ユーザは安心して文字を入力することができる。
【０１１７】
なお、このように入力された文字の変換候補が確定される前に次の文字が入力された場合には、最後に入力された文字の押し間違いのみを考慮した変換候補の表示を行い、それまでに入力された文字については押し間違いを考慮した変換候補の表示をしないように構成してもよい。こうすることにより、押し間違いを考慮した変換候補の表示が可能にする一方で、無駄な変換候補が表示領域ＡＲＥ２に表示されるのが抑制され、変換候補の視認性が向上する。
【符号の説明】
【０１１８】
１０…携帯端末、１１…アンテナ、１２…通信部、１３…制御部、１４…記憶部、１５…音声入出力部、１５ａ…スピーカ、１５ｂ…マイクロフォン、１６…タッチパネル、１００…筐体、１００Ｆ…上面、１０１…孔部、１０２…孔部、１６１…ガラス基板、１６２…フィルム、１６３…ＩＴＯ、１６４…スペーサ
【図１】
0005529325.tif 000002
【図２】
0005529325.tif 000003
【図３】
0005529325.tif 000004
【図４】
0005529325.tif 000005
【図５】
0005529325.tif 000006
【図６】
0005529325.tif 000007
【図７】
0005529325.tif 000008
【図８】
0005529325.tif 000009
【図９】
0005529325.tif 000010
【図１０】
0005529325.tif 000011
【図１１】
0005529325.tif 000012
【図１２】
0005529325.tif 000013
【図１３】
0005529325.tif 000014
【図１４】
0005529325.tif 000015